【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
遊技客が遊技の結果獲得した景品玉に基づく利益を遊技客に還元する景品交換システムにおいて、
所定の口座に対応付けられた金融カードとしての機能を備えた所定の情報記録媒体であって遊技客の有するものにまたはこれに対応付けて、遊技客の獲得した遊技媒体の計数結果である景品玉数を前記口座の資金として利用可能に登録し、
前記金融カードとしての機能が、利用金額を所定の口座から決済するための決済カードとしての機能であり、前記情報記録媒体にまたはこれに対応付けて、遊技客の獲得した遊技媒体の計数結果である景品玉数を前記決済に使用し得る有価価値として利用可能に登録し、
前記決済は、即時決済または与信決済の何れか一方または双方にて決済可能であり、
前記情報記録媒体を用いて遊技媒体を貸し出す際に、前記情報記録媒体に対応する口座の残金に優先して前記景品玉数を使って遊技媒体を貸し出す
ことを特徴とする景品交換システム。
【請求項２】
遊技媒体の貸出情報を、第１の管理機関に通知し、
前記情報記録媒体の利用状況を管理する第２の管理機関に前記景品玉数を通知する
ことを特徴とする請求項１に記載の景品交換システム。
【請求項３】
遊技機店に設置された遊技機で使用する遊技媒体の遊技客への貸出しと遊技客が遊技の結果獲得した景品玉の数を管理するとともに景品玉に基づく利益を遊技客に還元する景品交換システムにおいて、
貸出通知装置および景品交換装置と、第１の管理機関に設置される貸出管理装置と、第２の管理機関に設置される決済管理装置とを備え、
前記貸出通知装置は、遊技媒体の貸出情報を第１の管理機関に通知するものであり、
前記貸出管理装置は、貸出通知装置から通知された貸出情報を記録し管理するものであり、
前記景品交換装置は、利用金額を所定の口座から決済するための決済カードとしての機能を備えた所定の情報記録媒体であって遊技客の有するものから読み取ったカード番号と遊技客の獲得した遊技媒体を計数した結果である景品玉数とを前記決済管理装置に通知するものであり、
前記決済管理装置は、前記景品交換装置から通知された情報に基づいてカード番号毎に景品玉数を記憶して管理する景品玉数管理機能と、前記情報記録媒体を用いて利用金額を即時決済する旨の要求をそのカード番号とともに所定の決済端末から受け取ったとき、前記カード番号に対応付けて管理している口座の残額またはカード番号に対応付けて管理している景品玉数に応じた有価価値の何れか一方または双方を用いて前記利用金額を即時決済する決済機能とを有し、
前記情報記録媒体を用いて遊技媒体の貸し出し可能な遊技媒体貸機をさらに有し、
前記遊技媒体貸機は、挿入された情報記録媒体に対応付けて記録されている景品玉数が一定以上あるとき、前記情報記録媒体に対応する口座の残金に優先して前記景品玉数を使って遊技媒体を貸し出す
ことを特徴とする景品交換システム。
【請求項４】
遊技場に設置された遊技機で使用する遊技媒体の遊技客への貸出しと遊技客が遊技の結果獲得した景品玉の数を管理するとともに景品玉に基づく利益を遊技客に還元する景品交換システムにおいて、
貸出通知装置および景品交換装置と、第１の管理機関に設置される貸出管理装置と、第２の管理機関に設置される決済管理装置とを備え、
前記貸出通知装置は、遊技媒体の貸出情報を第１の管理機関に通知するものであり、
前記貸出管理装置は、貸出通知装置から通知された貸出情報を記録し管理するものであり、
前記景品交換装置は、利用金額を所定の口座から決済するための決済カードとしての機能を備えた所定の情報記録媒体であって遊技客の有するものから読み取ったカード番号と遊技客の獲得した遊技媒体を計数した結果である景品玉数とを前記決済管理装置に通知するものであり、
前記決済管理装置は、前記景品交換装置から通知された情報に基づいてカード番号毎に景品玉数を記憶して管理する景品玉数管理機能と、前記情報記録媒体を用いて利用金額を与信決済する旨の要求をそのカード番号とともに所定の決済端末から受け取って登録する機能と、予め定めた決済日が到来したとき、前記カード番号に対応付けて管理している口座の残額またはカード番号に対応付けて管理している景品玉数に応じた有価価値の何れか一方または双方を用いて所定期間中の利用金額を決済する決済機能とを有し、
前記情報記録媒体を用いて遊技媒体の貸し出し可能な遊技媒体貸機をさらに有し、
前記遊技媒体貸機は、挿入された情報記録媒体に対応付けて記録されている景品玉数が一定以上あるとき、前記情報記録媒体に対応する口座の残金に優先して前記景品玉数を使って遊技媒体を貸し出す
ことを特徴とするの景品交換システム。
【請求項５】
遊技機店に設置された遊技機で使用する遊技媒体の遊技客への貸出しと遊技客が遊技の結果獲得した景品玉の数を管理するとともに景品玉に基づく利益を遊技客に還元する景品交換システムにおいて、
貸出通知装置および景品交換装置と、第１の管理機関に設置される貸出管理装置と、第２の管理機関に設置される決済管理装置とを備え、
前記貸出通知装置は、遊技媒体の貸出情報を第１の管理機関に通知するものであり、
前記貸出管理装置は、貸出通知装置から通知された貸出情報を記録し管理するものであり、
前記景品交換装置は、利用金額を所定の口座から決済するための決済カードとしての機能を備えた所定の情報記録媒体であって遊技客の有するものから読み取ったカード番号と遊技客の獲得した遊技媒体を計数した結果である景品玉数とを前記決済管理装置に通知するものであり、
前記決済管理装置は、前記景品交換装置から通知された情報に基づいてカード番号毎に景品玉数を記憶して管理する景品玉数管理機能と、前記景品交換装置から通知された景品玉数に対応する金額を前記カード番号に対応付けて管理している口座の残額に加算するとともに前記情報記録媒体を用いて利用金額を即時決済する旨の要求をそのカード番号とともに所定の決済端末から受け取ったとき前記カード番号に対応する口座から前記利用金額を即時決済する決済機能とを有するものである
ことを特徴とする景品交換システム。
【請求項６】
遊技機店に設置された遊技機で使用する遊技媒体の遊技客への貸出しと遊技客が遊技の結果獲得した景品玉の数を管理するとともに景品玉に基づく利益を遊技客に還元する景品交換システムにおいて、
貸出通知装置および景品交換装置と、第１の管理機関に設置される貸出管理装置と、第２の管理機関に設置される決済管理装置とを備え、
前記貸出通知装置は、遊技媒体の貸出情報を第１の管理機関に通知するものであり、
前記貸出管理装置は、貸出通知装置から通知された貸出情報を記録し管理するものであり、
前記景品交換装置は、利用金額を所定の口座から決済するための決済カードとしての機能を備えた所定の情報記録媒体であって遊技客の有するものから読み取ったカード番号と遊技客の獲得した遊技媒体を計数した結果である景品玉数とを前記決済管理装置に通知するものであり、
前記決済管理装置は、前記景品交換装置から通知された情報に基づいてカード番号毎に景品玉数を記憶して管理する景品玉数管理機能と、前記景品交換装置から通知された景品玉数に対応する金額を前記カード番号に対応付けて管理している口座の残額に加算する機能と、前記情報記録媒体を用いて利用金額を与信決済する旨の要求をそのカード番号とともに所定の決済端末から受け取って登録する機能と、予め定めた決済日が到来したとき、前記カード番号に対応付けて管理している口座の残額を用いて所定期間中の利用金額を決済する決済機能とを有するものである
ことを特徴とする景品交換システム。
【請求項７】
前記景品交換装置は、遊技媒体を計数した結果の景品玉数が記録された第１情報記録媒体と遊技客の有する前記情報記録媒体とを受け入れ、前記第１情報記録媒体から読み取った景品玉数と前記情報記録媒体から読み取ったカード番号とを前記決済管理装置に通知するものである
ことを特徴とする請求項３から６の何れかに記載の景品交換システム。
【請求項８】
前記景品交換装置は、前記情報記録媒体に前記景品玉数をさらに記録し更新する
ことを特徴とする請求項３から７の何れかに記載の景品交換システム。
【請求項９】
前記景品交換装置は、景品玉と交換可能な景品を遊技客に紹介する機能と、交換を希望する景品の指定操作を受け付ける機能と、指定された景品が届くように手配する機能とを有する
ことを特徴とする請求項３から８の何れかに記載の景品交換システム。
【請求項１０】
少なくとも今回加算された景品玉数と累積の景品玉数と景品玉数に相当する金額の中の少なくとも１つの情報を記載した明細を発行または表示する機能を有する
ことを特徴とする請求項１から９の何れかに記載の景品交換システム。
【請求項１１】
景品玉数に基づいて使用された金額を遊技機店側の指定する所定の取引口座から引き落して精算する
ことを特徴とする請求項１から１０の何れかに記載の景品交換システム。
【手続補正２】
【補正対象書類名】明細書
【補正対象項目名】０００５
【補正方法】変更
【補正の内容】
【０００５】
【課題を解決するための手段】
かかる目的を達成するための本発明の要旨とするところは、次の各項の発明に存する。
［１］遊技客が遊技の結果獲得した景品玉に基づく利益を遊技客に還元する景品交換システムにおいて、
所定の口座に対応付けられた金融カードとしての機能を備えた所定の情報記録媒体（１８２）であって遊技客の有するものにまたはこれに対応付けて、遊技客の獲得した遊技媒体の計数結果である景品玉数を前記口座の資金として利用可能に登録し、
前記金融カードとしての機能が、利用金額を所定の口座から決済するための決済カードとしての機能であり、前記情報記録媒体（１８２）にまたはこれに対応付けて、遊技客の獲得した遊技媒体の計数結果である景品玉数を前記決済に使用し得る有価価値として利用可能に登録し、
前記決済は、即時決済または与信決済の何れか一方または双方にて決済可能であり、
前記情報記録媒体（１８２）を用いて遊技媒体を貸し出す際に、前記情報記録媒体（１８２）に対応する口座の残金に優先して前記景品玉数を使って遊技媒体を貸し出す
ことを特徴とする景品交換システム。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
［２］遊技媒体の貸出情報を、第１の管理機関（２０）に通知し、
前記情報記録媒体（１８２）の利用状況を管理する第２の管理機関（３０）に前記景品玉数を通知する
ことを特徴とする［１］に記載の景品交換システム。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
［３］遊技機店（１０）に設置された遊技機（１１０）で使用する遊技媒体の遊技客への貸出しと遊技客が遊技の結果獲得した景品玉の数を管理するとともに景品玉に基づく利益を遊技客に還元する景品交換システムにおいて、
貸出通知装置（１４０）および景品交換装置（２００）と、第１の管理機関（２０）に設置される貸出管理装置（２１）と、第２の管理機関（３０）に設置される決済管理装置（３１）とを備え、
前記貸出通知装置（１４０）は、遊技媒体の貸出情報を第１の管理機関（２０）に通知するものであり、
前記貸出管理装置（２１）は、貸出通知装置（１４０）から通知された貸出情報を記録し管理するものであり、
前記景品交換装置（２００）は、利用金額を所定の口座から決済するための決済カードとしての機能を備えた所定の情報記録媒体（１８２）であって遊技客の有するものから読み取ったカード番号と遊技客の獲得した遊技媒体を計数した結果である景品玉数とを前記決済管理装置（３１）に通知するものであり、
前記決済管理装置（３１）は、前記景品交換装置（２００）から通知された情報に基づいてカード番号毎に景品玉数を記憶して管理する景品玉数管理機能と、前記情報記録媒体（１８２）を用いて利用金額を即時決済する旨の要求をそのカード番号とともに所定の決済端末から受け取ったとき、前記カード番号に対応付けて管理している口座の残額またはカード番号に対応付けて管理している景品玉数に応じた有価価値の何れか一方または双方を用いて前記利用金額を即時決済する決済機能とを有し、
前記情報記録媒体（１８２）を用いて遊技媒体の貸し出し可能な遊技媒体貸機（１２０）をさらに有し、
前記遊技媒体貸機（１２０）は、挿入された情報記録媒体（１８２）に対応付けて記録されている景品玉数が一定以上あるとき、前記情報記録媒体（１８２）に対応する口座の残金に優先して前記景品玉数を使って遊技媒体を貸し出す
ことを特徴とする景品交換システム。
【手続補正８】
【補正対象書類名】明細書
【補正対象項目名】００１１
【補正方法】変更
【補正の内容】
【００１１】
［４］遊技場に設置された遊技機（１１０）で使用する遊技媒体の遊技客への貸出しと遊技客が遊技の結果獲得した景品玉の数を管理するとともに景品玉に基づく利益を遊技客に還元する景品交換システムにおいて、
貸出通知装置（１４０）および景品交換装置（２００）と、第１の管理機関（２０）に設置される貸出管理装置（２１）と、第２の管理機関（３０）に設置される決済管理装置（３１）とを備え、
前記貸出通知装置（１４０）は、遊技媒体の貸出情報を第１の管理機関（２０）に通知するものであり、
前記貸出管理装置（２１）は、貸出通知装置（１４０）から通知された貸出情報を記録し管理するものであり、
前記景品交換装置（２００）は、利用金額を所定の口座から決済するための決済カードとしての機能を備えた所定の情報記録媒体（１８２）であって遊技客の有するものから読み取ったカード番号と遊技客の獲得した遊技媒体を計数した結果である景品玉数とを前記決済管理装置（３１）に通知するものであり、
前記決済管理装置（３１）は、前記景品交換装置（２００）から通知された情報に基づいてカード番号毎に景品玉数を記憶して管理する景品玉数管理機能と、前記情報記録媒体（１８２）を用いて利用金額を与信決済する旨の要求をそのカード番号とともに所定の決済端末から受け取って登録する機能と、予め定めた決済日が到来したとき、前記カード番号に対応付けて管理している口座の残額またはカード番号に対応付けて管理している景品玉数に応じた有価価値の何れか一方または双方を用いて所定期間中の利用金額を決済する決済機能とを有し、
前記情報記録媒体（１８２）を用いて遊技媒体の貸し出し可能な遊技媒体貸機（１２０）をさらに有し、
前記遊技媒体貸機（１２０）は、挿入された情報記録媒体（１８２）に対応付けて記録されている景品玉数が一定以上あるとき、前記情報記録媒体（１８２）に対応する口座の残金に優先して前記景品玉数を使って遊技媒体を貸し出す
ことを特徴とする景品交換システム。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
［５］遊技機店（１０）に設置された遊技機（１１０）で使用する遊技媒体の遊技客への貸出しと遊技客が遊技の結果獲得した景品玉の数を管理するとともに景品玉に基づく利益を遊技客に還元する景品交換システムにおいて、
貸出通知装置（１４０）および景品交換装置（２００）と、第１の管理機関（２０）に設置される貸出管理装置（２１）と、第２の管理機関（３０）に設置される決済管理装置（３１）とを備え、
前記貸出通知装置（１４０）は、遊技媒体の貸出情報を第１の管理機関（２０）に通知するものであり、
前記貸出管理装置（２１）は、貸出通知装置（１４０）から通知された貸出情報を記録し管理するものであり、
前記景品交換装置（２００）は、利用金額を所定の口座から決済するための決済カードとしての機能を備えた所定の情報記録媒体（１８２）であって遊技客の有するものから読み取ったカード番号と遊技客の獲得した遊技媒体を計数した結果である景品玉数とを前記決済管理装置（３１）に通知するものであり、
前記決済管理装置（３１）は、前記景品交換装置（２００）から通知された情報に基づいてカード番号毎に景品玉数を記憶して管理する景品玉数管理機能と、前記景品交換装置（２００）から通知された景品玉数に対応する金額を前記カード番号に対応付けて管理している口座の残額に加算するとともに前記情報記録媒体（１８２）を用いて利用金額を即時決済する旨の要求をそのカード番号とともに所定の決済端末から受け取ったとき前記カード番号に対応する口座から前記利用金額を即時決済する決済機能とを有するものである
ことを特徴とする景品交換システム。
【手続補正１１】
【補正対象書類名】明細書
【補正対象項目名】００１４
【補正方法】変更
【補正の内容】
【００１４】
［６］遊技機店（１０）に設置された遊技機（１１０）で使用する遊技媒体の遊技客への貸出しと遊技客が遊技の結果獲得した景品玉の数を管理するとともに景品玉に基づく利益を遊技客に還元する景品交換システムにおいて、
貸出通知装置（１４０）および景品交換装置（２００）と、第１の管理機関（２０）に設置される貸出管理装置（２１）と、第２の管理機関（３０）に設置される決済管理装置（３１）とを備え、
前記貸出通知装置（１４０）は、遊技媒体の貸出情報を第１の管理機関（２０）に通知するものであり、
前記貸出管理装置（２１）は、貸出通知装置（１４０）から通知された貸出情報を記録し管理するものであり、
前記景品交換装置（２００）は、利用金額を所定の口座から決済するための決済カードとしての機能を備えた所定の情報記録媒体（１８２）であって遊技客の有するものから読み取ったカード番号と遊技客の獲得した遊技媒体を計数した結果である景品玉数とを前記決済管理装置（３１）に通知するものであり、
前記決済管理装置（３１）は、前記景品交換装置（２００）から通知された情報に基づいてカード番号毎に景品玉数を記憶して管理する景品玉数管理機能と、前記景品交換装置（２００）から通知された景品玉数に対応する金額を前記カード番号に対応付けて管理している口座の残額に加算する機能と、前記情報記録媒体（１８２）を用いて利用金額を与信決済する旨の要求をそのカード番号とともに所定の決済端末から受け取って登録する機能と、予め定めた決済日が到来したとき、前記カード番号に対応付けて管理している口座の残額を用いて所定期間中の利用金額を決済する決済機能とを有するものである
ことを特徴とする景品交換システム。
【手続補正１２】
【補正対象書類名】明細書
【補正対象項目名】００１５
【補正方法】変更
【補正の内容】
【００１５】
［７］前記景品交換装置（２００）は、遊技媒体を計数した結果の景品玉数が記録された第１情報記録媒体（１８１）と遊技客の有する前記情報記録媒体（１８２）とを受け入れ、前記第１情報記録媒体（１８１）から読み取った景品玉数と前記情報記録媒体（１８２）から読み取ったカード番号とを前記決済管理装置（３１）に通知するものである
ことを特徴とする［３］から［６］の何れかに記載の景品交換システム。
【手続補正１３】
【補正対象書類名】明細書
【補正対象項目名】００１６
【補正方法】変更
【補正の内容】
【００１６】
［８］前記景品交換装置（２００）は、前記情報記録媒体（１８２）に前記景品玉数をさらに記録し更新する
ことを特徴とする［３］から［７］の何れかに記載の景品交換システム。
【手続補正１４】
【補正対象書類名】明細書
【補正対象項目名】００１７
【補正方法】変更
【補正の内容】
【００１７】
［９］前記景品交換装置（２００）は、景品玉と交換可能な景品を遊技客に紹介する機能と、交換を希望する景品の指定操作を受け付ける機能と、指定された景品が届くように手配する機能とを有する
ことを特徴とする［３］から［８］の何れかに記載の景品交換システム。
【手続補正１５】
【補正対象書類名】明細書
【補正対象項目名】００１８
【補正方法】変更
【補正の内容】
【００１８】
［１０］少なくとも今回加算された景品玉数と累積の景品玉数と景品玉数に相当する金額の中の少なくとも１つの情報を記載した明細を発行または表示する機能を有する
ことを特徴とする［１］から［９］の何れかに記載の景品交換システム。
【手続補正１６】
【補正対象書類名】明細書
【補正対象項目名】００１９
【補正方法】変更
【補正の内容】
【００１９】
［１１］景品玉数に基づいて使用された金額を遊技機店（１０）側の指定する所定の取引口座から引き落して精算する
ことを特徴とする［１］から［１０］の何れかに記載の景品交換システム。